(57)【要約】【課題】有機ＥＬ素子の時間の経過による輝度の変化に対応して自動的にカラーバランスを調整するカラーバランス調整装置および電子機器を得ること。【解決手段】記憶部４０に、赤、緑、青の有機ＥＬ素子を発光させる電流値とカラーバランスを調整するための赤、緑、青の輝度の比率とを記憶しておき、制御部６０が輝度測定部２０を用いて定期的に赤の電流値で表示部１０の赤の輝度を測定し、赤の輝度を基準として、緑の電流値と青の電流値をそれぞれ変化させて、それぞれの輝度を調整して３色の輝度の比率が記憶部４０に記憶されている輝度の比率と一致するようにカラーバランスを調整する。【選択図】　　　図２
2004101747.tif 000002
【特許請求の範囲】
【請求項１】
複数の色を表示する有機ＥＬ素子を備える電子機器のカラーバランス調整装置であって、
第１の有機ＥＬ素子を発光させるための電流値と、第２の有機ＥＬ素子を発光させるための電流値と、第３の有機ＥＬ素子を発光させるための電流値と、各有機ＥＬ素子の輝度の比率とを記憶する記憶手段と、
前記有機ＥＬ素子の輝度を測定する輝度測定手段と、
前記輝度測定手段を用いて、前記第１の有機ＥＬ素子を発光させる電流値により前記第１の有機ＥＬ素子を発光させた時の輝度と、前記第２の有機ＥＬ素子を発光させる電流値により前記第２の有機ＥＬ素子を発光させた時の輝度と、前記第３の有機ＥＬ素子を発光させる電流値により前記第３の有機ＥＬ素子を発光させた時の輝度とを測定し、前記第１乃至前記第３の有機ＥＬ素子の何れか１つが発光する色を基準色として他の有機ＥＬ素子を発光させる電流値を変化させてそれぞれの輝度を測定し、前記輝度の比率と一致するように輝度を調整する輝度調整手段と、
を備えることを特徴とするカラーバランス調整装置。
【請求項２】
前記記憶手段と、前記輝度測定手段と、前記輝度調整手段とが、機器本体に組み込まれていることを特徴とする請求項１に記載のカラーバランス調整装置。
【請求項３】
前記記憶手段と前記輝度調整手段とが機器本体に組み込まれ、前記輝度測定手段が前記機器本体とは別の補助装置に組み込まれ、前記機器本体と前記補助装置を接続してカラーバランス調整を行うことを特徴とする請求項１に記載のカラーバランス調整装置。
【請求項４】
前記記憶手段が機器本体に組み込まれ、前記輝度測定手段と前記輝度調整手段とが前記機器本体とは別の補助装置に組み込まれ、前記機器本体と前記補助装置がコマンドによるデータ通信を行ってカラーバランス調整を行うことを特徴とする請求項１に記載のカラーバランス調整装置。
【請求項５】
日時を計時する時計手段をさらに備え、
前記記憶手段に、カラーバランスを調整した調整日と、カラーバランスの調整を行う調整間隔とを記憶するとともに、
前記輝度調整手段は、前記調整日と前記調整間隔からつぎにカラーバランス調整をおこなう次回調整日を算出し、前記時計手段が前記次回調整日になるか次回調整日を過ぎるとカラーバランスの調整を行うことにより周期的にカラーバランスの調整を行うこと特徴とする請求項１または２に記載のカラーバランス調整装置。
【請求項６】
日時を計時する時計手段をさらに備え、
前記記憶手段に、カラーバランスを調整した調整日と、カラーバランスの調整を行う調整間隔とを記憶するとともに、
前記輝度調整手段は、前記調整日と前記調整間隔からつぎにカラーバランス調整をおこなう次回調整日を算出し、前記時計手段が前記次回調整日になるか次回調整日を過ぎるとカラーバランスの調整を促すメッセージを前記表示部に表示することを特徴とする請求項１または３または４に記載のカラーバランス調整装置。
【請求項７】
カラーバランス調整の開始を指示する調整指示手段をさらに備えたことを特徴とする請求項１〜６の何れか一つに記載のカラーバランス調整装置。
【請求項８】
請求項１〜７の何れか一つに記載されたカラーバランス調整装置を備えたことを特徴とする電子機器。
【発明の詳細な説明】
【０００１】
【発明の属する技術分野】
本発明は、フルカラー有機ＥＬディスプレイのカラーバランスを調整するカラーバランス調整装置および電子機器に関するものである。
【０００２】
【従来の技術】
近年、携帯電話，ＰＤＡ（Ｐｅｒｓｏｎａｌ　Ｄｉｇｉｔａｌ　Ａｓｓｉｓｔａｎｃｅ），ビデオカメラなどの電子機器用にフルカラー有機ＥＬ（Ｅｌｅｃｔｒｏ　Ｌｕｍｉｎｅｓｃｅｎｃｅ）ディスプレイの開発が急速に進められるようになってきている。フルカラー有機ＥＬディスプレイは、自己発光の素子であるため、高品位の画質が得られる。また、液晶ディスプレイと比較すると、バックライトが不用であるため薄型化が図れる。さらに、視野角の制限が無く、応答速度が速いため高速動画の再生が可能となる。このような理由から、フルカラー有機ＥＬディスプレイは、液晶ディスプレイに代わる次世代ディスプレイとして注目されている。
【０００３】
しかし、フルカラー有機ＥＬディスプレイの場合、発光体である有機ＥＬ素子が有機物質で構成されているため、有機物質の腐食や劣化により、時間の経過とともに発光特性が劣化し、輝度が低下する。図１３は、高分子の有機ＥＬ素子の定電流駆動時の各色ＥＬ素子の輝度低下状況を示すグラフである。図１３では、赤、緑、青の３色の輝度が点灯時間により低下する様子を示している。有機ＥＬ素子は、輝度が初期状態の１／２に低下すると寿命といわれている。赤の有機ＥＬ素子の輝度が初期状態の１／２に低下した時、すなわち赤の半減寿命を１とした場合、緑、青の寿命は、さらに短くなっている。低分子の有機ＥＬ素子の場合は、高分子の有機ＥＬ素子とは逆に、赤の寿命が一番短い。これは、赤、緑、青の各有機ＥＬ素子の劣化が異なることを示している。このため、赤、緑、青の有機ＥＬ素子を一定の輝度の比率で発光させて全白点灯に調整するカラーバランス調整を行っても、時間の経過とともに輝度の比率が変化してしまうためフルカラー有機ＥＬディスプレイの色相が変化してしまう。すなわち、低分子の有機ＥＬ素子の場合には、赤の輝度低下が早いため緑がかり、高分子の有機ＥＬ素子の場合には、青の輝度低下が速いために黄色がかり、カラーバランスがずれてしまいユーザーが表示に対して違和感を持つことがある。
【０００４】
このような問題を改善するため、従来技術では、フルカラー有機ＥＬディスプレイを構成する有機ＥＬ素子の輝度が電流密度に比例することに着目し、有機ＥＬ素子に流れる電流値を検出して基準値と比較し、その比較結果に基づいて有機ＥＬ素子に与える電圧を制御することでフルカラー有機ＥＬディスプレイの輝度を調整するようにしている（たとえば、特許文献１参照）。
【０００５】
【特許文献１】
特開平１０−３１９９１０号公報
【０００６】
【発明が解決しようとする課題】
しかしながら、有機ＥＬ素子の実際の輝度と電流曲線の関係は個体差が大きく、必ずしも１つの関係式で表すことができない。そのため、上記従来技術では、有機ＥＬディスプレイの全ての有機ＥＬ素子を調整できるとは限らない。
【０００７】
また、赤、緑、青の各有機ＥＬ素子の輝度の比率を一定にするカラーバランスの調整をおこなっていないため、時間の経過とともにフルカラー有機ＥＬディスプレイの色相が変化しまうという問題があった。
【０００８】
本発明は、上記事情に鑑みてなされたものであって、有機ＥＬ素子の時間の経過による輝度の変化に対応して自動的にカラーバランスを調整するカラーバランス調整装置および電子機器を得ることを目的としている。
【０００９】
【課題を解決するための手段】
上記の目的を達成するために、本発明は以下の構成を採用した。
【００１０】
本発明のカラーバランス調整装置は、複数の色を表示する有機ＥＬ素子を備える電子機器のカラーバランス調整装置であって、第１の有機ＥＬ素子を発光させるための電流値と、第２の有機ＥＬ素子を発光させるための電流値と、第３の有機ＥＬ素子を発光させるための電流値と、各有機ＥＬ素子の輝度の比率とを記憶する記憶手段と、前記有機ＥＬ素子の輝度を測定する輝度測定手段と、前記輝度測定手段を用いて、前記第１の有機ＥＬ素子を発光させる電流値により前記第１の有機ＥＬ素子を発光させた時の輝度と、前記第２の有機ＥＬ素子を発光させる電流値により前記第２の有機ＥＬ素子を発光させた時の輝度と、前記第３の有機ＥＬ素子を発光させる電流値により前記第３の有機ＥＬ素子を発光させた時の輝度とを測定し、前記第１乃至前記第３の有機ＥＬ素子の何れか１つが発光する色を基準色として他の有機ＥＬ素子を発光させる電流値を変化させてそれぞれの輝度を測定し、前記輝度の比率と一致するように輝度を調整する輝度調整手段とを備えることを特徴とする。
【００１１】
係るカラーバランス調整装置によれば、第１、第２、第３の有機ＥＬ素子を発光させる電流値とカラーバランスを調整するための第１、第２、第３の有機ＥＬ素子の輝度の比率とを記憶しておき、記憶している電流値で第１、第２、第３の有機ＥＬ素子を個別に発光させてそれぞれの輝度を測定し、第１、第２、第３の有機ＥＬ素子の何れか１色を基準として他の有機ＥＬ素子を発光させる電流値を変化させて再度輝度を測定し、３色の輝度の比率を記憶している輝度比率と一致するようにカラーバランスを調整するようにしている。
【００１２】
また本発明のカラーバランス調整装置は、前記記憶手段と、前記輝度測定手段と、前記輝度調整手段とが、機器本体に組み込まれていることを特徴とする。
【００１３】
係るカラーバランス調整装置によれば、記憶手段と、輝度測定手段と、輝度調整手段とを１つの機器で構成するようにしている。
【００１４】
また本発明のカラーバランス調整装置は、前記記憶手段と前記輝度調整手段とが機器本体に組み込まれ、前記輝度測定手段が前記機器本体とは別の補助装置に組み込まれ、前記機器本体と前記補助装置を接続してカラーバランス調整を行うことを特徴とする。
【００１５】
係るカラーバランス調整装置によれば、記憶手段と輝度調整手段が１つの機器で構成され、輝度測定手段が別の補助装置で構成され、機器と補助装置を接続してカラーバランス調整を行うようにしている。
【００１６】
また本発明のカラーバランス調整装置は、前記記憶手段が機器本体に組み込まれ、前記輝度測定手段と前記輝度調整手段とが前記機器本体とは別の補助装置に組み込まれ、前記機器本体と前記補助装置がコマンドによるデータ通信を行ってカラーバランス調整を行うことを特徴とする。
【００１７】
係るカラーバランス調整装置によれば、記憶手段が１つの機器で構成され、輝度測定手段と輝度調整手段とが別の補助装置で構成され、機器と補助装置がコマンドによるデータ通信によりカラーバランス調整を行うようにしている。
【００１８】
また本発明のカラーバランス調整装置は、日時を計時する時計手段をさらに備え、前記記憶手段に、カラーバランスを調整した調整日と、カラーバランスの調整を行う調整間隔とを記憶するとともに、前記輝度調整手段は、前記調整日と前記調整間隔からつぎにカラーバランス調整をおこなう次回調整日を算出し、前記時計手段が前記次回調整日になるか次回調整日を過ぎるとカラーバランスの調整を行うことにより周期的にカラーバランスの調整を行うこと特徴とする。
【００１９】
係るカラーバランス調整装置によれば、前回カラーバランスを調整した調整日とカラーバランス調整を行う調整間隔を記憶しておき、前回カラーバランスを調整した調整日に調整間隔の日数を加算して次回調整日を算出し、時計手段が計時する日時が算出した次回調整日になるか次回調整日を過ぎるとカラーバランス調整を行うことにより周期的にカラーバランス調整を行うようにしている。
【００２０】
また本発明のカラーバランス調整装置は、日時を計時する時計手段をさらに備え、前記記憶手段に、カラーバランスを調整した調整日と、カラーバランスの調整を行う調整間隔とを記憶するとともに、前記輝度調整手段は、前記調整日と前記調整間隔からつぎにカラーバランス調整をおこなう次回調整日を算出し、前記時計手段が前記次回調整日になるか次回調整日を過ぎるとカラーバランスの調整を促すメッセージを前記表示部に表示することを特徴とする。
【００２１】
係るカラーバランス調整装置によれば、前回カラーバランスを調整した調整日とカラーバランス調整を行う調整間隔を記憶しておき、前回カラーバランスを調整した調整日に調整間隔の日数を加算して次回調整日を算出し、時計手段が計時する日時が算出した次回調整日になるか次回調整日を過ぎるとカラーバランスの調整を促すメッセージを表示するようにしている。
【００２２】
また本発明のカラーバランス調整装置は、カラーバランス調整の開始を指示する調整指示手段を備えることを特徴とする。
【００２３】
係るカラーバランス調整装置によれば、カラーバランス調整の開始を指示する調整手段を設けて、任意にカラーバランス調整がおこなえるようにしている。
【００２４】
つぎに本発明の電子機器は、カラーバランス調整装置を備えたことを特徴とする。
【００２５】
【発明の実施の形態】
以下に添付図面を参照して、この発明にかかるカラーバランス調整装置およびカラーバランス調整装置を備えた電子機器の好適な実施の形態を詳細に説明する。なお、以下のすべての実施形態において、第１、第２、第３の有機ＥＬ素子を赤、緑、青の有機ＥＬ素子として説明する。
【００２６】
（第１の実施形態）
図１〜図４を用いてこの発明の第１の実施形態を説明する。この第１の実施形態では、カラーバランス調整装置を備えた電子機器として折り畳み式の携帯電話を例に挙げて説明する。図１は、この第１の実施形態のカラーバランス調整装置を備えた折り畳み式の携帯電話１の概略図である。図１において、１は携帯電話、１０は表示部、２１はセンサーである。センサー２１は、携帯電話１を折り畳んだ時に表示部１０と向き合う位置に取り付ける。すなわち、携帯電話１を折り畳んだ状態で表示部１０を点灯させた時の輝度が正確に測定可能な位置に取り付ける。
【００２７】
図２は、この第１の実施形態の携帯電話１の構成を示すブロック図である。携帯電話１は、表示部１０と、輝度測定部２０と、駆動回路３０と、記憶部４０と、調整プログラム格納部５０と、制御部６０（請求の範囲でいうところの輝度調整手段）と、タイマー９０（請求の範囲でいうところの時計手段）とを備えている。このうち、輝度測定部２０と、駆動回路３０と、記憶部４０と、調整プログラム格納部５０と、制御部６０と、タイマー９０がカラーバランス調整装置である。
【００２８】
表示部１０は、赤、緑、青の有機ＥＬ素子で構成されるフルカラー有機ＥＬディスプレイであり、通常の携帯電話としての番号表示やメニュー表示などに用いられる。
【００２９】
輝度測定部２０は、センサー２１とＡ／Ｄコンバータ２２で構成され、表示部１０の赤、緑、青それぞれの有機ＥＬ素子の輝度を測定する。センサー２１はたとえば、フォトトランジスタやフォトダイオードなどの光センサーで構成され、表示部１０の輝度を測定する。Ａ／Ｄコンバータ２２は、センサー２１が測定した輝度をアナログ値からデジタル値に変換する。
【００３０】
駆動回路３０は、制御部６０から指定された電流値に基づいて表示部１０の赤、緑、青の有機ＥＬ素子を発光させる。たとえば、Ｄ／Ａコンバータを用いて制御部６０から指定された電流を表示部１０に供給する。また、定電流駆動ドライブ回路を用いてＰＷＭ（Ｐｕｌｓｅ　Ｗｉｄｔｈ　Ｍｏｄｕｌａｔｉｏｎ）駆動で電流を表示部１０に供給するようにしてもよい。なお、カラーバランス調整時に表示部１０を点灯させる時は、表示部１０を全点灯せずに、センサー２１がある対向部だけを点灯させるようにしてもよい。
【００３１】
記憶部４０は、表示部１０のカラーバランスの調整に必要な設定値やデータを記憶する。初期値は、携帯電話１を出荷する時に設定され、その後電源が切れても記憶したデータは保持される。具体的には、図３に示すように、輝度の比率、赤の電流設定値、緑の電流設定値、青の電流設定値、赤の最大輝度、調整日、調整間隔を記憶する。輝度の比率には、全白点灯時の赤、緑、青の輝度の比率を記憶する。赤、緑、青の輝度をこの比率と一致させることでカラーバランスを調整する。ここでは、赤：緑：青の比率を１：８：２としている。赤の電流設定値、緑の電流設定値、青の電流設定値には、それぞれ表示部１０の赤、緑、青の有機ＥＬ素子に印加する電流値を記憶する。ここでは、それぞれ、ｘ、ｙ、ｚが記憶されている。赤の最大輝度には、携帯電話１の機能で明るさを設定することができる場合、設定された明るさに対応する赤の電流設定値で赤の有機ＥＬ素子を発光させた時の輝度を記憶する。調整日には、前回調整を行った日時を記憶する。ここでは、２００２年７月１日に調整が行われたことが記憶されている。調整間隔には、調整を行う周期を記憶する。ここでは、３０日間隔で調整を行うように記憶されている。なお、表示部１０の有機ＥＬ素子を発光させるための設定値は、電流値ではなく、赤の電圧設定値、緑の電圧設定値、青の電圧設定値でもよい。
【００３２】
調整プログラム格納部５０は、カラーバランス調整処理の機能を実行するためのプログラムが格納される。制御部６０は、調整プログラム格納部５０に格納されたプログラムに基づきカラーバランス調整装置の各構成要素の制御を統括的に行う。タイマー９０は、日付と時間を計測する。なお、携帯電話１に時計機能がある場合には、携帯電話１の時計を用いるようにしてもよい。
【００３３】
つぎに、第１の実施形態のカラーバランス調整装置を備えた携帯電話１の動作を説明する。制御部６０は、所定の時間（例えば毎朝４時）になると記憶部４０に記憶されている調整日と調整間隔を読み出す。そして、調整日に調整間隔を加算し、次回の調整日を算出する。次回調整日を算出すると、制御部６０は、タイマー９０から現在の日付を読み出す。そして、読み出した日付と算出した次回調整日とを比較する。現在の日付が算出した次回調整日と一致した場合、または、現在の日付が算出した次回調整日を過ぎていた場合、制御部６０は、携帯電話１が折り畳まれていることを確認し、調整プログラム格納部５０に格納されているプログラムにしたがって、表示部１０のカラーバランス調整処理を開始する。図３の場合には、調整日が２００２年７月１日、調整間隔が３０日であるので、２００２年７月３１日を過ぎた時に、制御部６０は、カラーバランス調整処理を開始する。
【００３４】
図４のフローチャートを参照して、カラーバランス調整処理を詳細に説明する。制御部６０は、表示部１０の赤の有機ＥＬ素子の最大輝度を測定する（ステップＳ１００）。具体的には、制御部６０は、記憶部４０に記憶されている赤の電流設定値ｘを読み出す。そして、駆動回路３０に読み出した電流値ｘで表示部１０の赤の有機ＥＬ素子を発光させるための信号を出力する。駆動回路３０は、電流値ｘで表示部１０の赤の有機ＥＬ素子を発光させる。これにより表示部１０の赤が点灯する。センサー２１は、このときの輝度を測定し、Ａ／Ｄコンバータ２２に測定結果を出力する。Ａ／Ｄコンバータ２２は、測定結果をアナログ値からデジタル値に変換する。そして、制御部６０にデジタル値に変換した測定結果を出力する。制御部６０は、測定結果、すなわち、表示部１０の赤の有機ＥＬ素子に電流ｘを流した時の最大輝度を記憶部４０に記憶する（ステップＳ１１０）。
【００３５】
つぎに、制御部６０は、表示部１０の緑の最大輝度を測定する（ステップＳ１２０）。具体的には、制御部６０は、記憶部４０に記憶されている緑の電流設定値ｙを読み出す。そして、駆動回路３０に読み出した電流値ｙで表示部１０の緑の有機ＥＬ素子を発光させるための信号を出力する。駆動回路３０は、電流値ｙで表示部１０の緑の有機ＥＬ素子に電流を流す。これにより表示部１０の緑が点灯する。センサー２１は、このときの輝度を測定し、Ａ／Ｄコンバータ２２に測定結果を出力する。Ａ／Ｄコンバータ２２は、測定結果をアナログ値からデジタル値に変換する。そして、制御部６０にデジタル値に変換した測定結果を出力する。
【００３６】
制御部６０は、測定結果である緑の最大輝度と記憶部４０に記憶されている赤の最大輝度との比率を算出する。そして、算出した比率と記憶部４０に記憶されている輝度の比率が一致している可否かを判定する（ステップＳ１３０）。この場合、赤と緑の輝度の比率は１：８であるので、緑の輝度が赤の輝度の８倍になっているか否かを判定する。緑の輝度が赤の輝度の８倍よりも小さい場合には、制御部６０は、予め定められた値ａを緑の電流設定値ｙに加算する（ステップＳ１４０）。そして、制御部６０は、駆動回路３０に算出した電流値で表示部１０の緑の有機ＥＬ素子を発光させるための信号を出力し、表示部１０の緑の最大輝度を測定する。制御部６０は、赤の最大輝度と緑の最大輝度の比率が輝度の比率と一致するまで、すなわち、赤と緑の輝度比率が１：８になるまで、電流値を予め定められた値ａずつ上げて表示部１０の緑の輝度を測定する動作（ステップＳ１２０〜Ｓ１４０）を繰り返す。
【００３７】
緑の輝度が赤の輝度の８倍よりも大きい場合には、制御部６０は、予め定められた値ａを緑の電流設定値ｙから減算する。そして、制御部６０は、駆動回路３０に算出した電流値で表示部１０の緑の有機ＥＬ素子を発光させるための信号を出力し、表示部１０の緑の最大輝度を測定する。制御部６０は、赤の最大輝度と緑の最大輝度の比率が輝度の比率と一致するまで、すなわち、赤と緑の輝度比率が１：８になるまで、緑の電流設定値を予め定められた値ａずつ下げて表示部１０の緑の輝度を測定する動作（ステップＳ１２０〜Ｓ１４０）を繰り返す。赤と緑の輝度比率が記憶部４０に記憶されている輝度の比率と一致すると、制御部６０は、輝度の比率が一致した時の緑の電流値を緑の電流設定値を記憶部４０に記憶させる（ステップＳ１５０）。
【００３８】
つぎに、制御部６０は、表示部１０の青の最大輝度を測定する（ステップＳ１６０）。具体的には、制御部６０は、記憶部４０に記憶されている青の電流設定値ｚを読み出す。そして、駆動回路３０に読み出した電流値ｚで表示部１０の青の有機ＥＬ素子を発光させるための信号を出力する。駆動回路３０は、電流値ｚで表示部１０の青の有機ＥＬ素子に電流を流す。これにより表示部１０の青が点灯する。センサー２１は、このときの輝度を測定し、Ａ／Ｄコンバータ２２に測定結果を出力する。Ａ／Ｄコンバータ２２は、測定結果をアナログ値からデジタル値に変換する。そして、制御部６０にデジタル値に変換した測定結果を出力する。
【００３９】
制御部６０は、測定結果、すなわち、青の最大輝度と記憶部４０に記憶されている赤の最大輝度との比率を算出する。そして、算出した比率と記憶部４０に記憶されている輝度の比率が一致しているか否かを判定する（ステップＳ１７０）。この場合、赤と青の輝度の比率は１：２であるので、青の輝度が赤の輝度の２倍になっているか否かを判定する。青の輝度が赤の輝度の２倍よりも小さい場合には、制御部６０は、予め定められた値ａを青の電流設定値ｚに加算する（ステップＳ１８０）。そして、制御部６０は、駆動回路３０に算出した電流値で表示部１０の青の有機ＥＬ素子を発光させるための信号を出力し、表示部１０の青の最大輝度を測定する。制御部６０は、赤の最大輝度と青の最大輝度の比率が輝度の比率と一致するまで、すなわち、赤と青の輝度比率が１：２になるまで、青の電流値を予め定められた値ａずつ上げて表示部１０の青の輝度を測定する動作（ステップＳ１６０〜Ｓ１８０）を繰り返す。
【００４０】
青の輝度が赤の輝度の２倍よりも大きい場合には、制御部６０は、予め定められた値ａを青の電流設定値ｚから減算する。そして、制御部６０は、駆動回路３０に算出した電流値で表示部１０の青の有機ＥＬ素子を発光させるための信号を出力し、表示部１０の青の最大輝度を測定する。制御部６０は、赤の最大輝度と青の最大輝度の比率が輝度の比率と一致するまで、すなわち、赤と青の輝度比率が１：２になるまで、電流値を予め定められた値ａずつ下げて表示部１０の青の輝度を測定する動作（ステップＳ１６０〜Ｓ１８０）を繰り返す。赤と青の輝度比率が記憶部４０に記憶されている輝度の比率と一致すると、制御部６０は、輝度の比率が一致した時の青の電流設定値を記憶部４０に記憶させる（ステップＳ１９０）。
【００４１】
緑と青の電流設定値を決定し、カラーバランス調整調整処理が終了すると、制御部６０は、記憶部４０の調整日に現在の日付を記憶させる。
【００４２】
このようにこの第１の実施形態では、記憶部４０に、赤、緑、青の有機ＥＬ素子を発光させる電流値とカラーバランスを調整するための赤、緑、青の輝度の比率とを記憶しておき、制御部６０が輝度測定部２０を用いて定期的に赤の電流値で表示部１０の赤の輝度を測定し、赤の輝度を基準として、緑の電流値と青の電流値をそれぞれ変化させて、それぞれの輝度を調整して３色の輝度の比率が記憶部４０に記憶されている輝度の比率と一致するようにカラーバランスを調整するようにしている。これにより、時間の経過により赤、緑、青のそれぞれの有機ＥＬ素子の輝度が劣化した場合にも、画質低下を防止することができる。
【００４３】
また、携帯電話１にセンサー２１を取り付けているため、センサー２１の紛失を防止し、取り付ける手間を省くことができる。
【００４４】
さらに、調整日を任意に設定できるようにしているため、電子機器のバッテリーを考慮して適切な周期でカラーバランスを調整することができる。
【００４５】
なお、調整日の設定は、調整終了後に現在の日付に調整間隔を加算して次回の調整日を算出し、その日付を調整日に記憶させておき、所定の時間（例えば毎朝４時）になった時に制御部６０が現在の日付と記憶部４０の調整日とを比較して調整を行うか否かを判断するようにしてもよい。これにより、所定の時間毎に調整日の計算を行う必要がなくなり、バッテリーの消費を抑えることができる。
【００４６】
また、携帯電話１の機能としてカラーバランス調整のメニューを持たせ、ユーザーがメニューを選択し、携帯電話を折り畳むと制御部６０がカラーバランスの調整を開始するようにしてもよい。これにより、ユーザーが任意にカラーバランスの調整を行うことができる。
【００４７】
第１の実施形態では、折り畳み式携帯電話を例に挙げて説明したが、有機ＥＬディスプレイを備えた電子機器として、ＰＤＡ（Ｐｅｒｓｏｎａｌ　Ｄｉｇｉｔａｌ　Ａｓｓｉｓｔａｎｔｓ）と呼ばれる携帯型情報機器や携帯型パーソナルコンピュータ、デジタルビデオカメラ、電子手帳、電卓、ワードプロセッサーなどが挙げられる。これらの電子機器においても折り畳み式の形態である場合、すなわち、折り畳んだ状態で有機ＥＬディスプレイの輝度が測定できる位置にセンサーを取り付け可能な電子機器に本発明の第１の実施形態が適用可能であることはいうまでもない。
【００４８】
（第２の実施形態）
図５〜図１１を用いてこの発明の第２の実施形態を説明する。この第２の実施形態では、カラーバランス調整装置を備えた電子機器としてストレートタイプの携帯電話を例に挙げて説明する。図５は、この第２の実施形態のカラーバランス調整装置を備えた携帯電話２を示す概略図である。携帯電話２は図１に示した携帯電話１のように本体を折り畳むことができないため表示部１０の表面に対して本体の一部を対向配置することができない。すなわち、表示部１０の輝度を測定するセンサー２１を本体に取り付けることができない。そのため、携帯電話２ではセンサー２１を表示部１０上に対向するように位置させて表示部１０の輝度を測定するための補助装置８を用いる。また、携帯電話２にセンサー２１が取り付けられている補助装置８を接続するためのコネクタ３ａを設けておく。
【００４９】
図６は、第２の実施形態に用いるセンサー２１を取り付けた補助装置８の概略図である。図６および図７に示す補助装置８は、センサー２１と携帯電話２とを接続するために専用のコネクタ３を使用する。図６において、２１はセンサー、３はセンサー２１と携帯電話２のコネクタ３ａとを接続するためのコネクタ、４はセンサー２１とコネクタ３を接続するためのケーブルである。コネクタ３と携帯電話２のコネクタ３ａとを接続し、センサー２１を表示部１０上に対向するように位置させて使用する。
【００５０】
図７は、補助装置８として、携帯電話２をセンサー２１に対向するように固定するためのクリップ５をさらに備える実施の形態を示すものである。図７において、５は携帯電話２を挟み込むクリップ、２１はクリップ５に取り付けられているセンサー、３はセンサー２１が取り付けられているクリップ５と携帯電話２のコネクタ３ａを接続するためのコネクタ、４はセンサー２１が取り付けられているクリップ５とコネクタ３を接続するためのケーブルである。クリップ５は、台部５ａと、台部５ａに対し所定の部位を支点にして回動可能であって、携帯電話２を押さえる方向にバネ等の弾性部材（図示せず）によって付勢されている押さえ板部５ｂを備えている。携帯電話２の表示部１０がセンサー２１と対向するように携帯電話２を位置させ、クリップ５で携帯電話２を挟み込んで使用する。
【００５１】
図８は、この第２の実施形態の補助装置８を接続した携帯電話２の構成を示すブロック図である。この第２の実施形態における補助装置８を接続したカラーバランス調整装置を備えた携帯電話２では、押しボタン７０（請求の範囲でいうところの調整指示手段）が追加されている。第１の実施形態と同じ機能を持つ構成部分には同一符号を付し、重複する説明は省略する。
【００５２】
押しボタン７０は、ユーザーが補助装置８を携帯電話に接続し、押しボタン７０を押すことで有機ＥＬディスプレイの調整を開始する。押しボタン７０は、１つの特別なボタンを備えてもよいし、携帯電話２のメニュー機能にカラーバランス調整機能を選択するメニューを加え、そのメニューを選択するようにしてもよい。
【００５３】
表示部１０と、Ａ／Ｄコンバータ２２と、駆動回路３０と、記憶部４０と、調整プログラム格納部５０と、制御部６０と、押しボタン７０は、携帯電話２に設置され、センサー２１は補助装置８に設置される。
【００５４】
つぎに、第２の実施形態の補助装置８を接続した携帯電話２の動作を説明する。制御部６０は、所定の時間になると記憶部４０に記憶されている調整日と調整間隔を読み出す。そして、調整日に調整間隔を加算し、次回調整日を算出する。次回調整日を算出すると、制御部６０は、タイマー９０から現在の日付を読み出す。そして、読み出した日付と算出した次回調整日とを比較する。現在の日付が算出した次回調整日と一致した場合、または、現在の日付が算出した次回調整日を過ぎていた場合、制御部６０は、駆動回路３０介して表示部１０にカラーバランス調整を促すメッセージを表示する。
【００５５】
ユーザーは、カラーバランス調整を促すメッセージを確認した場合、補助装置８を携帯電話に接続する。そして、センサー２１が表示部１０上にあることを確認した後、押しボタン７０を押す。押しボタン７０が押されると、制御部６０は、調整プログラム格納部５０に格納されているプログラムにしたがって、表示部１０のカラーバランス調整処理を開始する。
【００５６】
制御部６０は、図４のフローチャートで示したカラーバランス調整処理にしたがって、赤の電流設定値で表示部１０の赤の輝度を測定し、その輝度を基準として、緑の有機ＥＬ素子に供給する電流値と青の有機ＥＬ素子に供給する電流値とをそれぞれ調整し、赤、緑、青の輝度の比率を記憶部４０に記憶されている輝度の比率と一致させ、カラーバランスを調整する。
【００５７】
このようにこの第２の実施形態では、携帯電話２本体にセンサー２１を内蔵できない場合にも、補助装置８を用いてセンサー２１を携帯電話２に接続し、表示部１０のカラーバランスを調整できるようにしている。
【００５８】
なお、カラーバランス調整を促すメッセージを表示するための調整日の設定は、調整終了後に現在の日付に調整間隔を加算して次回の調整日を算出し、その日付を調整日として記憶部４０に記憶させておき、所定の時間（例えば毎朝４時）になった時に制御部６０が現在の日付と記憶部４０の調整日とを比較してメッセージを表示するか否かを判断するようにしてもよい。これにより、バッテリーの消費を抑えることができる。
【００５９】
また、カラーバランス調整を促すメッセージが表示されていない場合でも、ユーザーが補助装置８を接続して押しボタン７０を押すことにより、カラーバランス調整処理を開始するようにしてもよい。
【００６０】
ところで携帯電話２には、付属品として充電を行うためのＡＣアダプタがある。このＡＣアダプターにセンサー２１を取り付け、センサー２１と携帯電話２とを接続する補助装置８としてもよい。図９および図１０は、センサー２１と携帯電話２とを接続する補助装置８の概略図である。図９において、２１はセンサー、７はセンサー２１と携帯電話２を接続するためのコネクタ、６はセンサー２１とコネクタ３を接続するためのケーブル、９はＡＣコンセントに接続するプラグである。コネクタ７は、携帯電話２の外部接続端子に接続可能な形状とし、コネクタ７の端子にセンサー２１を接続する。通常の携帯電話のＡＣアダプタを利用するためプラグ９が接続されているので、プラグ９からセンサー２１を駆動するための電源を取るようにしてもよい。
【００６１】
図１０において、５は携帯電話２を挟み込むクリップ、２１はクリップ５に取り付けられているセンサー、７はセンサー２１が取り付けられているクリップ５と携帯電話２を接続するためのコネクタ、６はセンサー２１が取り付けられているクリップ５とコネクタ３を接続するためのケーブル、９はＡＣコンセントに接続するプラグである。図７および図９と同じ機能を持つ構成部分には同一符号を付し、重複する説明は省略する。
【００６２】
第２の実施形態では、ストレートタイプの携帯電話を例に挙げて説明したが、有機ＥＬディスプレイを備えた電子機器として、テレビ、パーソナルコンピュータ、ワードプロセッサー、ＰＯＳ（Ｐｏｉｎｔ　Ｏｆ　Ｓａｌｅ）端末、ビデオ再生装置、ＤＶＤ（Ｄｉｇｉｔａｌ　Ｖｅｒｓａｔｉｌｅ　Ｄｉｓｋ）再生装置、ビデオカメラ、デジタルカメラ、車載用モニタ、テレビ電話機、カーナビゲーション装置などが挙げられる。これらの電子機器においても、補助装置８を接続することで本発明の第２の実施形態が適用可能であることはいうまでもない。たとえば、テレビ、パーソナルコンピュータ、ワードプロセッサー、ＰＯＳ端末などは、図１１に示すように電子機器の一部に補助装置８を内蔵し、カラーバランス調整を行う時に、センサー２１を表示部１０上に引き出すようにしてもよい。このとき、補助装置に設置するセンサー２１は、引き出した時に表示部１０と対向する位置に設置する。また、ペン付きの情報端末の場合には、ペン先にセンサー２１を取り付け、カラーバランス調整を行う時に、ペン先を表示部１０接触させるようにしてもよい。これにより、センサー２１の紛失を防止することができる。
【００６３】
（第３の実施形態）
図１２を用いてこの発明の第３の実施形態を説明する。携帯電話には、外部機器と通信を行うための外部接続端子が設けられている。この第３の実施形態では、外部接続端子を利用して携帯電話２と補助装置８がデータ通信を行うことで表示部１０のカラーバランス調整を行うものである。
【００６４】
この第３の実施形態の携帯電話２および補助装置８の概略図は、図５、図８、図９に示すものと同様となるのでここではその説明を省略する。なお、補助装置８のケーブル６に接続されているプラグ９は省略可能である。
【００６５】
図１２は、この第３の実施形態の補助装置８を接続した携帯電話２の構成を示すブロック図である。この第３の実施形態の補助装置８を接続した携帯電話２では、カラーバランス調整の制御を行う制御部が２つに分かれており、さらに、送受信部８０ａ、８０ｂが追加されている。第２の実施形態と同じ機能を持つ構成部分には同一符号を付し、重複する説明は省略する。
【００６６】
表示部１０と、駆動回路３０と、記憶部４０と、押しボタン７０と、送受信部８０ａは携帯電話２に設置される。輝度測定部２０と、調整プログラム格納部５０と、制御部６０ｂと、送受信部８０ｂは補助装置８に設置される。
【００６７】
制御部６０ａは、携帯電話２に設置された各構成要素を統括的に制御する。制御部６０ｂは、調整プログラム格納部５０に格納されたプログラムに基づき補助装置８の各構成要素の制御を統括的に行う。
【００６８】
送受信部８０ａは、補助装置８とのデータの送受信を行う。送受信部８０ｂは、携帯電話とのデータの送受信を行う。
【００６９】
つぎに、第３の実施形態の補助装置８を接続した携帯電話２の動作を説明する。カラーバランスの調整を開始するまでの動作については、第２の実施形態と同じ動作であるので、詳細な説明を省略する。
【００７０】
制御部６０ａは、所定の時間（例えば毎朝４時）になると調整日と調整間隔に基づいて次回調整日を算出し、調整を行うか否かを判断する。そして、調整を行う場合には、表示部１０にカラーバランス調整を促すメッセージを表示する。ユーザーは、そのメッセージによって携帯電話２に補助装置８を接続し、押しボタン７０をおしてカラーバランス調整を行う。
【００７１】
押しボタン７０が押されると、制御部６０ａと制御部６０ｂとが送受信部８０ａ、８０ｂを介して通信を行い、カラーバランス調整を開始する。
【００７２】
まず、制御部６０ａが、カラーバランス調整処理を開始する開始コマンドを送受信部８０ａに出力する。開始コマンドには、カラーバランス調整に必要な調整データ（記憶部４０に記憶されている輝度の比率、赤の電流設定値、緑の電流設定値、青の電流設定値）が含まれている。送受信部８０ａは、開始コマンドを送信する。送受信部８０ｂは、制御部６０ｂに受信した開始コマンドを出力する。制御部６０ｂは、調整データを記憶する。これにより、制御部６０ｂが赤、緑、青の輝度を調整するための電流値の算出が可能となる。制御部６０ｂは、送受信部８０ｂを介して表示部１０を点灯させる色とその電流値を含む測定コマンドを送信し、送受信部８０ａが受信したコマンドに基づいて制御部６０ａが駆動回路３０を起動し表示部１０を点灯させる。このように通信を行い携帯電話２の表示部１０を点灯させることで、制御部６０ｂは、図４のフローチャートに示したカラーバランス調整処理にしたがって、赤の電流設定値で表示部１０の赤の輝度を測定し、その輝度を基準として、緑の有機ＥＬ素子に供給する電流値と青の有機ＥＬ素子に供給する電流値とをそれぞれ調整し、赤、緑、青の輝度の比率を記憶部４０に記憶されている輝度の比率と一致させ、カラーバランスを調整する。そして、調整後の赤の電流設定値、緑の電流設定値、青の電流設定値、赤の最大輝度の設定値を制御部６０ａに通知する。制御部６０ａは、通知された赤の最大輝度の設定値、緑の電流設定値、青の電流設定値、赤の最大輝度の設定値を記憶部４０に記憶させる。
【００７３】
このように第３の実施形態では、携帯電話２と補助装置８にそれぞれ制御部６０ａと制御部６０ｂを備え、携帯電話２が記憶部４０に記憶されているカラーバランス調整に必要な設定値を補助装置８の制御部６０ｂに通知し、制御部６０ｂがコマンドにより表示部１０を点灯させてカラーバランス調整処理を実行し、調整後の赤、緑、青それぞれの電流設定値を携帯電話２に通知するようにしている。すなわち、カラーバランス調整処理を行うためのプログラムを格納している調整プログラム格納部５０を補助装置８に設置するため、携帯電話２のプログラム領域の負荷を軽くすることができる。
【００７４】
以上説明した３つの実施形態では、赤を基準として緑、青の電流値を調整することでカラーバランスの調整を行ったが、基準となる色は赤に限るものではなく、赤、緑、青の何れか１色を基準にして他の２色の調整を行うようにしてもよい。これにより、寿命の短い色を基準にして調整することが可能となり、表示部１０の寿命をのばすことができる。
【００７５】
【発明の効果】
以上説明したように、本発明のカラーバランス調整装置によれば、赤、緑、青の有機ＥＬ素子を発光させる電流値とカラーバランスを調整するための赤、緑、青の輝度の比率とを記憶しておき、記憶している電流値で赤、緑、青有機ＥＬ素子を個別に発光させてそれぞれの輝度を測定し、赤、緑、青の何れか１色を基準として他の有機ＥＬ素子を発光させる電流値を変化させて再度輝度を測定し、３色の輝度の比率を記憶している輝度比率と一致するようにカラーバランスを調整するようにしている。これにより、時間の経過により赤、緑、青のそれぞれの有機ＥＬ素子の輝度が劣化した場合にも、画質低下を防止することができる。
【図面の簡単な説明】
【図１】本発明の第１の実施形態のカラーバランス調整装置を備えた携帯電話の概略図である。
【図２】本発明の第１の実施形態の携帯電話の構成を示すブロック図である。
【図３】図２に示した記憶部の内容を示す図である。
【図４】本発明の第１の実施形態のカラーバランス調整装置の動作を説明するためのフローチャートである。
【図５】本発明の第２の実施形態のカラーバランス調整装置を備えた携帯電話の概略図である。
【図６】本発明の第２の実施形態の補助装置の概略図である。
【図７】本発明の第２の実施形態の補助装置の概略図である。
【図８】本発明の第２の実施形態の補助装置を接続した携帯電話の構成を示すブロック図である。
【図９】本発明の第２の実施形態の補助装置の概略図である。
【図１０】本発明の第２の実施形態の補助装置の概略図である。
【図１１】本発明の第２の実施形態の電子機器の概略図である。
【図１２】本発明の第３の実施形態の補助装置を接続した携帯電話の構成を示すブロック図である。
【図１３】有機ＥＬ素子の定電流駆動時の各色ＥＬ素子の輝度低下状況を示すグラフである。
【符号の説明】
１，２　携帯電話
３，７　コネクタ
４，６　ケーブル
５　クリップ
８　補助装置
９　プラグ
１０　表示部
２０　輝度測定部
２１　センサー
２２　Ａ／Ｄコンバータ
３０　駆動回路
４０　記憶部
５０　調整プログラム格納部
６０，６０ａ，６０ｂ　制御部
７０　押しボタン
８０ａ，８０ｂ　送受信部
９０　タイマー
【図１】
2004101747.tif 000003
【図２】
2004101747.tif 000004
【図３】
2004101747.tif 000005
【図４】
2004101747.tif 000006
【図５】
2004101747.tif 000007
【図６】
2004101747.tif 000008
【図７】
2004101747.tif 000009
【図８】
2004101747.tif 000010
【図９】
2004101747.tif 000011
【図１０】
2004101747.tif 000012
【図１１】
2004101747.tif 000013
【図１２】
2004101747.tif 000014
【図１３】
2004101747.tif 000015